(57)【特許請求の範囲】
【請求項１】
撮像レンズを交換可能な撮像装置であって、
装着された撮像レンズから、当該撮像レンズを識別するための第１のレンズ識別情報を取得する取得手段と、
焦点状態を検出する検出手段と、
前記検出手段により検出された焦点状態を補正するための補正情報を、ユーザーが設定するための設定手段と、
前記設定手段により前記補正情報が設定された場合に、前記装着された撮像レンズを識別するための第２のレンズ識別情報をユーザーが入力するための入力手段と、
前記設定手段により設定された補正情報と、前記第１のレンズ識別情報と、前記第２のレンズ識別情報とを関連付けて、複数の異なる撮像レンズごとに記憶する記憶手段と、
前記検出手段による焦点状態の検出結果と前記記憶手段に記憶された補正情報とに基づいて焦点を調節する焦点調節手段と
を有することを特徴とする撮像装置。
【請求項２】
前記記憶手段から補正情報を削除する場合に、該補正情報に対応する前記第２のレンズ識別情報を表示する表示手段を更に有することを特徴とする請求項１に記載の撮像装置。
【請求項３】
前記表示手段は、前記第１のレンズ識別情報に対応する前記第２のレンズ識別情報を表示することを特徴とする請求項２に記載の撮像装置。
【請求項４】
前記焦点調節手段は、前記記憶手段に記憶された補正情報のうち、前記取得手段により取得した前記第１のレンズ識別情報に対応する前記補正情報により、前記検出手段により検出された焦点状態を補正して、補正した焦点状態に基づいて焦点を調節することを特徴とする請求項１乃至３のいずれか１項に記載の撮像装置。
【請求項５】
前記第２のレンズ識別情報は、ユーザーが任意に設定可能であることを特徴とする請求項１乃至４のいずれか１項に記載の撮像装置。
【請求項６】
前記第２のレンズ識別情報は、ユーザーがダイヤル操作で設定可能であることを特徴とする請求項５に記載の撮像装置。
【請求項７】
前記取得手段は、装着された撮像レンズから、当該撮像レンズを識別するための第３のレンズ識別情報を取得することを特徴とする請求項１乃至６のいずれか１項に記載の撮像装置。
【請求項８】
前記第３のレンズ識別情報は、前記装着された撮像レンズの焦点距離を表す情報を含むことを特徴とする請求項７に記載の撮像装置。
【請求項９】
前記第３のレンズ識別情報は、前記装着された撮像レンズのＦナンバーを表す情報を含むことを特徴とする請求項７に記載の撮像装置。
【請求項１０】
撮像レンズを交換可能な撮像装置の制御方法であって、
取得手段が、装着された撮像レンズから、当該撮像レンズを識別するための第１のレンズ識別情報を取得する取得工程と、
検出手段が、焦点状態を検出する検出工程と、
ユーザによる設定手段への操作に基づいて、前記検出工程で検出された焦点状態を補正するための補正情報を設定する設定工程と、
前記設定工程において前記補正情報が設定された場合に、ユーザによる入力手段への操作に基づいて、前記装着された撮像レンズを識別するための第２のレンズ識別情報を入力する入力工程と、
記憶手段が、前記設定工程で設定された補正情報と、前記第１のレンズ識別情報と、前記第２のレンズ識別情報とを関連付けて、複数の異なる撮像レンズごとに記憶する記憶工程と、
前記検出工程による焦点状態の検出結果と前記記憶手段に記憶された補正情報とに基づいて焦点を調節する焦点調節工程と
を有することを特徴とする撮像装置の制御方法。
【発明の詳細な説明】
【技術分野】
【０００１】
本発明は、撮像装置及びその制御方法に関し、更に詳しくは、撮像レンズが交換可能に着脱される撮像装置において検出された焦点状態を補正する技術に関する。
【背景技術】
【０００２】
撮像レンズが交換可能に着脱される本体部を備える従来の撮像装置では、本体部及び撮像レンズのそれぞれがＭＰＵ（マイクロプロセッシングユニット）を有し、互いに通信することで焦点調整機能を実現しているものがある。具体的には、本体部側のＭＰＵが焦点検出のためにデフォーカス量を検出するセンサを制御し、撮像レンズ側のＭＰＵが撮像レンズごとの光学的なピント補正値を本体部側のＭＰＵに送信することで、撮像レンズ毎に最適な焦点検出を実現することができる。
【０００３】
このような撮像装置においては、自動焦点調整のための、所謂、ピント調整が従来から知られている。ピント調整とは、生産時の公差等に起因する使用部品の個体差を検出し、それぞれの動作特性に応じた自動焦点調整のための調整値を工場出荷時に不揮発性メモリに予め記憶させておき、かかる調整値に基づいて適正な焦点調整を行わせるものである。
【０００４】
一方、例えば、撮像レンズや本体部を落下させてしまったりすることなどにより、撮像レンズや本体部に強い衝撃が加えられると、ピント位置がずれてしまう可能性がある。また、撮像レンズからデフォーカス量を検出するセンサまでの光学系の経路にクイックリターンミラーなどが配置されている場合には、シャッタの開閉のたびにミラーの角度が徐々に変化してデフォーカス量の検出精度が下がり、ピント位置がずれていくことがある。
【０００５】
このような場合、サービスセンターに撮像レンズや本体部を持ち込み、不揮発性メモリに記憶されている調整値を調整してもらうこともできるが、サービスセンターの場所は限られているため、利便性と迅速性の観点から問題がある。
【０００６】
そこで、工場出荷時に不揮発性メモリに記憶させる調整値とは別に、ユーザーが自由に設定することができる補正値を本体部に記憶させておく技術（マイクロアジャストメント）が提案されている（例えば、特許文献１参照）。かかる技術によれば、ピント調整の為の補正値を自由に設定することができ、且つ、工場出荷時の設定に戻すこともできる。
【先行技術文献】
【特許文献】
【０００７】
【特許文献１】特開２００１−１７４６９０号公報
【発明の概要】
【発明が解決しようとする課題】
【０００８】
しかしながら、特許文献１に開示された技術では、ユーザが自由に設定することができる補正値は１つだけであり、交換撮像レンズ式一眼レフカメラのように複数の撮像レンズが装着される撮像装置では、装着した全ての撮像レンズに対応することはできない。
【０００９】
また、特許文献１に開示された技術を応用して、補正値を異なる複数の撮像レンズについて複数保持するように構成した場合、複数の撮像レンズのそれぞれを本体部側で識別するために、撮像レンズの機種名を利用することが考えられる。しかし、同じ機種名の複数の撮像レンズを共有して使用することもあり、そのような場合には、同じ機種名の撮像レンズに対して同一のマイクロアジャストメントが適用されることになるため、撮像レンズそれぞれを識別してピント調整を行うには不十分である。
【００１０】
また、複数の撮像レンズそれぞれを識別するために、撮像レンズが保持している固有のレンズ識別情報（例えば、シリアル番号）を用いることも考えられる。しかしながら、固有のレンズ識別情報を有した基盤を交換してしまうと、交換前の固有のレンズ識別情報に関連付けて本体部側で保持している補正値との関連づけができなくなり、補正値を用いることができなくなってしまう。交換前後のレンズ識別情報を一致させるために、外装の刻印を画像認識することも考えられるが、専用の工程が必要となり、コスト面で不利となる。
【００１１】
また、ユーザーがレンズの外装の刻印ではなく、ユーザーの管理番号で判別したい場合、本体部はその管理番号情報を取得する手段がないため、ユーザーにはどのレンズかを識別することができない。同種類の個体を複数擁している場合はどの撮像レンズに対する設定かを特定することが困難である。
【００１２】
また、固有のレンズ識別情報を用いた場合であっても、調整値が本体部が保持することが可能な個数を超えた場合など、どれかの調整値を上書きする必要性が生じたときにユーザーが削除または上書き可能なレンズ設定値かを特定することができない問題が生じる。
【００１３】
本発明は上記問題点を鑑みてなされたものであり、複数の撮像レンズに対して、それぞれピントの補正値を設定可能にすると共に、ユーザーが容易に撮像レンズの補正値を特定して削除できるようにすることを目的とする。
【課題を解決するための手段】
【００１４】
上記目的を達成するために、撮像レンズを交換可能な本発明の撮像装置は、装着された撮像レンズから、当該撮像レンズを識別するための第１のレンズ識別情報を取得する取得手段と、焦点状態を検出する検出手段と、前記検出手段により検出された焦点状態を補正するための補正情報を、ユーザーが設定するための設定手段と、前記設定手段により前記補正情報が設定された場合に、前記装着された撮像レンズを識別するための第２のレンズ識別情報をユーザーが入力するための入力手段と、前記設定手段により設定された補正情報と、前記第１のレンズ識別情報と、前記第２のレンズ識別情報とを関連付けて、複数の異なる撮像レンズごとに記憶する記憶手段と、前記検出手段による焦点状態の検出結果と前記記憶手段に記憶された補正情報とに基づいて焦点を調節する焦点調節手段とを有する。
【発明の効果】
【００１５】
本発明によれば、複数の撮像レンズに対して、それぞれピントの補正値を設定可能にすると共に、ユーザーが容易に撮像レンズの補正値を特定して削除できるようにすることができる。
【図面の簡単な説明】
【００１６】
【図１】本発明の実施形態における撮像装置１の概略構成を示すブロック図。
【図２】実施形態におけるマイクロアジャストメント補正値を設定するための設定画面の一例を示す図。
【図３】実施形態におけるマイクロアジャストメント補正値の設定手順を示すフローチャート。
【図４】実施形態における第２のレンズ識別情報の表示及び設定する設定画面の一例を示す図である。
【発明を実施するための形態】
【００１７】
以下、添付図面を参照して本発明を実施するための最良の形態を詳細に説明する。なお、本形態において例示される構成部品の寸法、形状、それらの相対配置などは、本発明が適用される装置の構成や各種条件により適宜変更されるべきものであり、本発明がそれらの例示に限定されるものではない。
【００１８】
図１は、本発明の実施形態における撮像装置１の概略構成を示すブロック図である。撮像装置１は、本実施形態では交換撮像レンズ式一眼レフカメラであるものとし、撮像レンズ１０と、本体部２０とを備える。撮像装置１は、被写体を撮像するための本体部２０にマウントＭを介して交換可能に着脱される撮像レンズ１０の焦点位置を調整する焦点調整機能を有する。
【００１９】
撮像レンズ１０は、レンズ側ＭＰＵ（マイクロプロセッシングユニット）１１０と、複数のレンズから成るレンズ群１２２と、レンズ群１２２を駆動するためのレンズ駆動部１２０を有する。また、撮像レンズ１０は、絞り１３２と、絞り１３２を駆動するための絞り駆動部１３０とを有する。更に、撮像レンズ１０は、マニュアル操作によりレンズ群１２２に含まれるフォーカスレンズを動かすための不図示の距離環の位置を検出するための距離環位置検出部１４０と、ＥＥＰＲＯＭなどの不揮発性メモリで構成される記憶部１５０とを有する。記憶部１５０には、撮像レンズ１０の個体を識別するための固有の第１のレンズ識別情報１５２が記憶されている。記憶部１５０に記憶された第１のレンズ識別情報１５２は、本体側ＭＰＵ２１０と通信可能なレンズ側ＭＰＵ１１０を介して、本体部２０に送信することができる。
【００２０】
また、レンズ側ＭＰＵ１１０のＲＯＭ（不図示）には、撮像レンズ１０の機種を示すレンズ機種名１１２が記憶されている。レンズ側ＭＰＵ１１０がレンズ機種名１１２を本体部２０に送信することで、本体部２０は、本体部２０に装着されている撮像レンズ１０の機種を識別することができる。
【００２１】
本体部２０において、２３２は、メインミラー２３２ａ及びサブミラー２３２ｂで構成されるクイックリターンミラー、２５２は撮像レンズ１０を透過した被写体像を光電変換して、画像信号を出力する撮像素子、２７２は表示パネルである。
【００２２】
更に、本体部２０は、本体側ＭＰＵ２１０、検出部２２０、ミラー駆動部２３０、記憶部２４０、撮像部２５０、記録部２６０、表示部２７０、操作部２８０を有する。また、本体部２０は、光学ファインダを構成するピント板２９０、ペンタミラー２９１及びファインダー２９２なども有する。
【００２３】
本体側ＭＰＵ２１０は、マウントＭを介して、レンズ側ＭＰＵ１１０と通信可能である。本体側ＭＰＵ２１０のＲＯＭ（不図示）には、カメラの機種名毎に固有に割り振られたカメラＩＤ２１２が記憶されており、本体側ＭＰＵ２１０は自身の機種名を識別することができる。なお、カメラＩＤ２１２は、本実施形態では、本体側ＭＰＵ２１０に記憶されているものとして説明したが、記憶部２４０に記憶されていてもよい。
【００２４】
検出部２２０は、本体側ＭＰＵ２１０と協同して、公知の方法を用いて、本体部２０に装着されている撮像レンズ１０を通過した被写体像のデフォーカス量（焦点状態）を検出する機能を有する。具体的には、本実施形態においては、撮像レンズ１０の焦点を調整する際に必要となるデフォーカス量は、撮像レンズ１０の互いに異なる２つの瞳領域を通過した光束で形成される２つの像の相対変位量からデフォーカス量が算出される。
【００２５】
撮像レンズ１０において互いに異なる２つの瞳領域を通過した光束は、ハーフミラーで構成されたメインミラー２３２ａを通過し、サブミラー２３２ｂで反射され、焦点検出光学系（不図示）によって検出部２２０に導かれる。検出部２２０はラインセンサ対の光電変換素子を含み、かかる光電変換素子の上に形成された被写体像を電位変化として出力する。本体側ＭＰＵ２１０は、検出部２２０から出力される電位変化に相関演算を施して２つの像の相対変位量を求め、かかる相対変位量に固有の係数を掛けることでデフォーカス量を算出する。このように、本実施形態では、本体側ＭＰＵ２１０及び検出部２２０によって、撮像レンズ１０を通過する被写体像のデフォーカス量を求めることができる。
【００２６】
ミラー駆動部２３０は、クイックリターンミラー２３２を構成するメインミラー２３２ａ及びサブミラー２３２ｂを駆動する。具体的には、ミラー駆動部２３０は、被写体の撮像開始時には、クイックリターンミラー２３２を撮像光路（撮像レンズ１０と撮像素子２５２との間の光路）から退避させ、被写体の撮像完了時には、クイックリターンミラー２３２を撮像光路に復帰させる。
【００２７】
ユーザーは本体部２０の操作部２８０と表示部２７０を用いて、後述するようにして第２のレンズ識別情報２４４を設定することができる。
【００２８】
記憶部２４０は、ＥＥＰＲＯＭなどの不揮発性メモリで構成される。記憶部２４０には、本体部２０の個体を識別するための固有のカメラ識別情報２４２が記憶されている。カメラ識別情報２４２としては、例えば、本体部２０のシリアル番号が工場出荷時に設定される。
【００２９】
更に、記憶部２４０は、検出部２２０で検出されたデフォーカス量を補正するための補正値を、本体部２０に装着されたことのある撮像レンズ１０の第１のレンズ識別情報１５２毎に記憶する。ここで、検出部２２０で検出されたデフォーカス量を補正するための補正値とは、ユーザの入力に応じて自由に設定することができる補正値（マイクロアジャストメント補正値）である。本実施形態では、撮像レンズ１０の機種と、撮像レンズ１０の第１のレンズ識別情報１５２と、ユーザーが設定した第２のレンズ識別情報と、マイクロアジャストメント補正値とを１つの組とする補正テーブル２４６として記憶部２４０に記憶される。なお、補正テーブル２４６には、工場出荷時には、補正テーブル２４６が未設定であることを示す初期値（例えば、オール０）が設定される。
【００３０】
撮像部２５０は、撮像素子２５２に蓄積された電荷を画像として本体側ＭＰＵ２１０に出力させる。記録部２６０は、撮像素子２５２で撮像された画像を画像ファイルとして記録媒体に記録する。表示部２７０は、記録媒体に記録された画像ファイルに対応する画像や設定画面やユーザーが設定した第２のレンズ識別情報２４４などを表示パネル２７２に表示させる機能を有している。
【００３１】
操作部２８０は、撮像装置１の撮像に関する動作（例えば、シャッタ速度、絞り値、撮像モードなど）を設定するためのボタン及びダイヤルや撮像を指示するためのレリーズボタンなどを含む。なお、レリーズボタンは、半押しによりオン状態となる撮像準備用のスイッチＳＷ１と、全押しによりオン状態となる撮像開始用のスイッチＳＷ２とを含む。また、操作部２８０は、マイクロアジャストメント補正値の設定に関する動作やユーザーが第２のレンズ識別情報の設定を行うために、マイクロアジャストメント設定スイッチやマイクロアジャストメント補正値入力ダイヤルなどの操作部材も含む。
【００３２】
上記構成を有する撮像装置１において、スイッチＳＷ１がオン状態になると、焦点調整機能を開始する。具体的には、まず、検出部２２０からの出力（デフォーカス量）に応じて、本体側ＭＰＵ２１０がレンズ側ＭＰＵ１１０に対してレンズ駆動命令を送信する。そして、本体側ＭＰＵ２１０からのレンズ駆動命令に基づいて、レンズ側ＭＰＵ１１０がレンズ駆動部１２０を制御して、撮像レンズ１０の距離環を駆動することで焦点調整が行われる。
【００３３】
また、スイッチＳＷ２がオン状態になると、本体側ＭＰＵ２１０、撮像部２５０、レンズ側ＭＰＵ１１０及び絞り駆動部１３０などが被写体を撮像するための一連の動作を行う。そして、スイッチＳＷ１がオフ状態になると、焦点調整機能を停止する。
【００３４】
しかしながら、上述した焦点調節機能によるデフォーカス量がゼロであったとしても、焦点検出系などの公差によっては、フォーカスレンズの合焦位置に必ずしも被写体が存在しているとは限らない。そこで、撮像素子２５２に被写体が合焦している状態で、本体側ＭＰＵ２１０及び検出部２２０によって求められるデフォーカス量をゼロにするための調整値を記憶部２４０に記憶させる必要がある。
【００３５】
具体的には、まず、撮像装置１のフランジバック（撮像レンズ１０から撮像素子２５２までの距離）を測定して、設計値からのフランジバックのずれ量を求める。次に、既知の距離に位置する被写体（基準被写体）に対して予めピントを合わせてある基準レンズを、フランジバックのずれ量だけ補正する。
【００３６】
次いで、基準被写体のデフォーカス量を検出し、検出したデフォーカス量をゼロにするための調整値を記憶部２４０に記憶させる。そして、焦点調整機能の動作時には、検出部２２０の出力から算出されるデフォーカス量に、記憶部２４０に記憶させた調整値を加えたものをデフォーカス量とする。これにより、撮像装置１の個体差を吸収した焦点調整（焦点検出）を行うことが可能となる。
【００３７】
なお、本実施形態では、記憶部２４０に記憶させた調整値を加えたデフォーカス量に、ベストピント補正値やマイクロアジャストメント補正値が更に加えられる。
【００３８】
ここで、ベストピント補正値とは、撮像時の被写体光束の焦点と焦点検出光学系による被写体光束の焦点とのずれ量に対する補正値である。撮像時の被写体光束の焦点と焦点検出光学系による被写体光束の焦点とのずれ量は、撮像素子２５２と検出部２２０との分光感度のずれや撮像レンズ１０の球面収差に起因するため、撮像レンズ１０の距離環位置毎に異なる値となる。なお、ベストピント補正値は、本体部２０に装着されている撮像レンズ１０のレンズ側ＭＰＵ１１０に記憶されている。
【００３９】
レンズ側ＭＰＵ１１０は、距離環位置検出部１４０から出力される現在の距離環位置に対応するベストピント補正値を本体部２０の本体側ＭＰＵ２１０に送信する。本体側ＭＰＵ２１０は、ベストピント補正値を加えたものをデフォーカス量とすることで、撮像レンズ１０ごとに最適な焦点調整（焦点検出）を可能にしている。
【００４０】
また、マイクロアジャストメント補正値とは、上述したように、デフォーカス量を補正するために、本体部２０に装着される撮像レンズ１０毎に（即ち、撮像レンズ１０を識別して）自由に設定される補正値である。
【００４１】
図２は、マイクロアジャストメント補正値を設定するための設定画面の一例を示す図である。ユーザは、表示パネル２７２に表示された図２に示す設定画面において、操作部２８０の一部を構成するマイクロアジャストメント補正値入力ダイヤルを操作することで、マイクロアジャストメント補正値を自由に設定することができる。
【００４２】
図２に示す設定画面は、本実施形態では、補正テーブル２４６におけるエントリーの番号「Ｎｏ．５」と、撮像レンズ１０の機種名「ＳＮＳ３００ｍｍ／２．８  ＳＣＭ」と、同じ機種名の撮像レンズ１０を識別するための番号「＃２」とを含む。なお、同じ機種名の撮像レンズ１０を識別するための番号は、補正テーブル２４６を撮像レンズ１０の機種名で検索し、かかる検索で一致した撮像レンズ１０に対して順番に割り振られる番号である。
【００４３】
図２に示す設定画面において、現在のマイクロアジャストメント補正値は、スケールバー上の白丸で表示される。ユーザーは、マイクロアジャストメント補正値入力ダイヤルを操作することで、マイクロアジャストメント補正値を前ピン方向（被写体に対してピント位置が前側になる方向）又は後ピン方向（被写体に対してピント位置が後側になる方向）に変更することができる。
【００４４】
図２に示す設定画面において入力されたマイクロアジャストメント補正値は、撮像レンズ１０の機種と、撮像レンズ１０の第１のレンズ識別情報１５２と、第２のレンズ識別情報と共に、補正データとして補正テーブル２４６に書き込まれる。
【００４５】
そして、本体側ＭＰＵ２１０は、記憶部２４０から、本体部２０に装着されている撮像レンズ１０の第１のレンズ識別情報１５２、及び、補正テーブル２４６から第１のレンズ識別情報１５２に対応するマイクロアジャストメント補正値を検索する。そして、撮像レンズ１０のレンズ識別情報１５２に対応するマイクロアジャストメント補正値が検出された場合には、検出部２２０の出力から算出されるデフォーカス量に、更にマイクロアジャストメント補正値を加えたものをデフォーカス量とする。これにより、撮像レンズ１０に応じた自由な焦点調整を行うことが可能となる。
【００４６】
以下、図３を参照して、撮像装置１におけるマイクロアジャストメント補正値の設定手順について説明する。マイクロアジャストメント補正値の設定は、ユーザが操作部２８０の一部を構成するマイクロアジャストメント設定スイッチを操作する（押す）ことで開始される。
【００４７】
Ｓ１１において、本体側ＭＰＵ２１０は、レンズ側ＭＰＵ１１０を介して、本体部２０に装着されている撮像レンズ１０の第１のレンズ識別情報１５２及びレンズ機種名１１２を取得する。
【００４８】
Ｓ１２において、本体側ＭＰＵ２１０は、Ｓ１１で取得した第１のレンズ識別情報１５２を検索キーとして、記憶部２４０に記憶されている補正テーブル２４６を検索する。すなわち、本体側ＭＰＵ２１０は、Ｓ１１で取得した第１のレンズ識別情報１５２に対応するマイクロアジャストメント補正値が補正テーブル２４６に記憶されているかどうかを判定する。Ｓ１１で取得した第１のレンズ識別情報１５２に対応するマイクロアジャストメント補正値が補正テーブル２４６に記憶されていない場合にはＳ１３に移行し、記憶されている場合にはＳ１７に移行する。
【００４９】
Ｓ１３において、Ｓ１２でマイクロアジャストメント補正値が補正テーブル２４６に記憶されていないことを受けて、補正テーブル２４６に追加するマイクロアジャストメント補正値を設定する。ここでは、図２に示すような設定画面を表示し、ユーザーがマイクロアジャストメント補正値入力ダイヤルを操作することで設定することができる。ただし、ここでは、マイクロアジャストメント補正値が補正テーブル２４６に記憶されていないため、マイクロアジャストメント補正値を示す白丸は、スケールバー上の「０」の位置に表示される。マイクロアジャストメント補正値の設定にあたり、第２のレンズ識別情報をユーザーから取得する。
【００５０】
さらに、ユーザーは操作部２８０と表示部２７０を用いて本体側ＭＰＵ２１０に第２のレンズ識別情報２４４を設定する。図４はＳ１３における第２のレンズ識別情報を表示及び設定する設定画面の一例を示す図である。この時、ユーザーはレンズに刻印された情報やユーザー自身が作成した管理番号など、後にユーザーが撮像レンズ１０を識別可能な情報を任意に設定可能であるため、ユーザーは後で容易に設定値とレンズを特定すること
【００５１】
そしてＳ１４において、本体側ＭＰＵ２１０は、記憶部２４０の記憶容量に空きがあるか、即ち、新たな補正データを補正テーブル２４６に追加できるかどうかを判定する。新たな補正データを補正テーブル２４６に追加することができる場合、Ｓ１６に進み、追加することができない場合には、Ｓ１５に移行する。
【００５２】
Ｓ１５において、本体側ＭＰＵ２１０は、表示部２７０を介して、新たな補正テーブル２４６を記憶することができない旨、例えば、「記憶容量に空きがありません」などのメッセージを表示パネル２７２に表示する。そして、補正テーブル２４６を示し、補正テーブル２４６の一部の補正データを削除することをユーザーに選択させることで記憶部２４０の記憶容量を空ける。その際に、図４に示すようにして第２のレンズ識別情報を表示部２７０に表示することで、ユーザーは容易にレンズの個体を判別することができる。選択された補正データを削除すると、Ｓ１６に移る。
【００５３】
Ｓ１６において、本体側ＭＰＵ２１０は、第１のレンズ識別情報１５２と、レンズ機種名１１２と、第２のレンズ識別情報２４４と、マイクロアジャストメント補正値とからなる補正データを補正テーブル２４６に追加する。
【００５４】
一方、Ｓ１２で、Ｓ１１で取得した第１のレンズ識別情報１５２に対応するマイクロアジャストメント補正値が補正テーブル２４６に記憶されていると判断された場合は、マイクロアジャストメント補正値を変更するためにＳ１７に進む。Ｓ１７では、図２に示すような設定画面を表示し、ユーザーがマイクロアジャストメント補正値入力ダイヤルを操作することで、マイクロアジャストメント補正値を変更し、変更したマイクロアジャストメント補正値を補正テーブル２４６に記憶する。
【００５５】
Ｓ１６またはＳ１７を終了すると、マイクロアジャストメント補正値の設定処理を終了する。
【００５６】
このように、本実施形態の撮像装置１では、撮像レンズ１０のそれぞれに対応するマイクロアジャストメント補正値を、撮像レンズ１０に固有な第１のレンズ識別情報１５２とユーザーが設定した第２のレンズ識別情報とに関連付けて記憶する。そして、焦点調整機能の動作時には、検出部２２０の出力から算出されるデフォーカス量を、本体部２０に装着されている撮像レンズ１０のレンズ識別情報１５２に対応する、記憶部２４０に記憶されたマイクロアジャストメント補正値で補正する。
【００５７】
次いで、補正されたデフォーカス量がゼロとなるように、撮像レンズ１０の焦点位置を調整する。従って、同じ機種名の複数の撮像レンズを共有して使用するような場合においても、撮像レンズのそれぞれを識別して、撮像レンズのそれぞれに最適なピント調整を行うことができる。換言すれば、本実施形態によれば、交換撮像レンズ式一眼レフカメラにおいても、マイクロアジャストメントを有効に機能させることができる。
【００５８】
また、マイクロアジャストメント補正値を記憶可能な記憶容量を超えた際に、ユーザーが設定した第２のレンズ識別情報を表示することで、ユーザーが容易に不要な補正値を削除可能にすることができる。
【００５９】
以上、本発明の好ましい実施形態について説明したが、本発明はこれらの実施形態に限定されないことはいうまでもなく、その要旨の範囲内で種々の変形及び変更が可能である。例えば、本発明は、交換撮像レンズ式一眼レフカメラに限定されるものではなく、ビデオカメラなどの焦点検出装置を有する光学機器に適用することができる。
【００６０】
また、上述した実施形態では、補正テーブル２４６に、撮像レンズ１０の機種と、撮像レンズ１０の第１のレンズ識別情報１５２と、第２のレンズ識別情報と、マイクロアジャストメント補正値とを補正データとして記憶する場合について説明した。しかしながら、第１のレンズ識別情報１５２と、第２のレンズ識別情報と、マイクロアジャストメント補正値とが少なくとも記憶されていれば良い。
【００６１】
また、上述した実施形態では、距離環位置検出部１４０によりフォーカスレンズを動かすための距離環の位置を検出したが、距離環の位置に限るものではなく、フォーカスレンズの位置を検出できればよい。
【図１】
0005904742.tif 000002
【図２】
0005904742.tif 000003
【図３】
0005904742.tif 000004
【図４】
0005904742.tif 000005